(57)【要約】【課題】ラッチ部材のラッチ凹部に円滑に嵌入して施錠することができ、高い強度を持ってがたつきなく施錠状態を保持することができる施錠装置の受け具を提供する。【解決手段】ラッチ部材のラッチ凹部２１ａ，２２ａ内に、対応位置に固定した受け具の係止ピン７，８を嵌め入れながら、ラッチ部材を回動させ、ラッチ位置にラッチ部材２１，２２をロックさせ施錠する施錠装置の受け具である。被取付部位に固定される取付部２を有し、金属板を曲折して形成された受け具本体１と、受け具本体１に固定された係止ピン７，８とを備える。受け具本体１には、取付部２に対し平面をＬ字状とするように曲折された曲折保持部５，６が設けられる。係止ピン７，８の両端が、取付部２と、取付部２に平行な曲折保持部５、６の先端曲げ部５ａ，６ａとに各々固定される。【選択図】図４
2010261170.tif 000002
【特許請求の範囲】
【請求項１】
溝状のラッチ凹部を設けたラッチ部材を、基枠体の支持板に回動可能に枢支し、該ラッチ部材のラッチ凹部内に、対応位置に固定した受け具の係止ピンを嵌め入れながら、該ラッチ部材を回動させてラッチ位置に該ラッチ部材をロックさせて施錠する施錠装置の受け具であって、
被取付部位に固定される取付部を有し、金属板を曲折して形成された受け具本体と、
該受け具本体に固定された該係止ピンと、を備え、
該受け具本体には、該取付部に対し平面をＬ字状とするように曲折された曲折保持部が設けられ、該係止ピンの両端が、該取付部及び該取付部に平行な該曲折保持部の先端曲げ部に各々固定されたことを特徴とする施錠装置の受け具。
【請求項２】
施錠時、前記施錠装置のラッチ部材が受け具の前記係止ピンに係止されたとき、前記曲折保持部によって該ラッチ部材のラッチ凹部が覆われた状態となることを特徴とする請求項１記載の施錠装置の受け具。
【請求項３】
製造時、前記受け具本体の定位置及び該受け具本体の定位置と対向する前記曲折保持部の定位置に、予め取付孔が穿設され、該両取付孔に該係止ピンの両端部を嵌入した状態で、該係止ピンの少なくとも一方の端部をかしめて該係止ピンが該受け具本体に固定されることを特徴とする請求項１の施錠装置の受け具。
【発明の詳細な説明】
【技術分野】
【０００１】
本発明は、スロットマシン、パチンコ機などのゲーム機用の施錠装置に使用される受け具に関し、特に回動可能に軸支したラッチ部材の溝状のラッチ凹部に受け具の係止ピンを嵌め込むようにロックする施錠装置の受け具に関する。
【背景技術】
【０００２】
従来、パチンコ機、スロットマシンなどのゲーム機用の施錠装置として、前面枠の内側から突出する爪状の鉤部材に代えて、溝状のラッチ凹部を設けた略卵型のラッチ部材を、基枠体の支持板に回動可能に枢支し、そのラッチ部材のラッチ凹部内に、本体枠側に固定した受け金具の係止ピンを嵌め入れながらラッチ部材を回動させ、作動杆に突設した係止凸部に、ラッチ部材の係合部を係合させてラッチ部材をロックし、施錠する施錠装置が、下記特許文献１などで知られている。
【先行技術文献】
【特許文献】
【０００３】
【特許文献１】特許第３０８７０２４号公報
【発明の概要】
【発明が解決しようとする課題】
【０００４】
この施錠装置では、施錠装置を取り付けた前面枠を、受け金具を固定した本体枠に対し施錠する場合、前面枠を本体枠に対し閉じることにより、施錠装置のラッチ部材を本体枠側の受け金具の係止ピンに近づけ、このとき、係止ピンを受け金具のラッチ凹部に嵌め入れながら、ラッチ部材を回動させ、ラッチ凹部の開口部が内側のラッチ位置に回動したとき、作動杆の係止部をラッチ部材の係合部に係合させてロックし、施錠する。
【０００５】
しかし、この種の施錠装置は、係止ピンがラッチ部材のラッチ凹部に進入すると共に、ラッチ部材が回動して係止ピンを引き込むようにロックされるため、係止ピンとラッチ凹部との嵌め合いが円滑に行なわれ、スムーズに施錠することができるものの、従来の受け具の係止ピンは、その基部が受け金具本体に固定され、所謂片持ち式で取り付けられていたため、長期の使用によっては、係止ピンの基部にがたつきが生じる場合があり、またはゲーム機の前扉が無理にこじ開けようとされた場合、係止ピンの曲げ方向に大きな荷重がかかると、係止ピンの先端が自由端となるため、係止ピンが基部から曲げられる虞があった。
【０００６】
本発明は、上述の課題を解決するものであり、ラッチ部材のラッチ凹部に係止ピンを嵌入させて良好に施錠し、高い強度を持ってがたつきなく施錠状態を保持することができ、不正解錠も阻止することが可能な施錠装置の受け具を提供することを目的とする。
【課題を解決するための手段】
【０００７】
上記目的を達成するために、本願の請求項１の施錠装置の受け具は、溝状のラッチ凹部を設けたラッチ部材を、基枠体の支持板に回動可能に枢支し、該ラッチ部材のラッチ凹部内に、対応位置に固定した受け具の係止ピンを嵌め入れながら、該ラッチ部材を回動させてラッチ位置に該ラッチ部材をロックさせて施錠する施錠装置の受け具であって、被取付部位に固定される取付部を有し、金属板を曲折して形成された受け具本体と、該受け具本体に固定された該係止ピンとを備え、該受け具本体には、取付部に対し平面をＬ字状とするように曲折された曲折保持部が設けられ、該係止ピンの両端が、該取付部と、該取付部に平行な曲折保持部の先端曲げ部とに各々固定されたことを特徴とする。
【０００８】
この発明によれば、受け具の係止ピンは、その基部と先端の両端部が、取付部と平面をＬ字状とする曲折保持部とに各々固定されるので、所謂片持ちではなく、強固に係止ピンが受け具本体に保持される。このため、長期の使用でも、がたつきが生じず、前扉が無理にこじ開けられるように、係止ピンに大荷重が印加された場合でも、係止ピンは変形せず、施錠状態を強固に保持することができる。
【０００９】
請求項２の発明は、上記請求項１の施錠装置の受け具において、施錠時、施錠装置のラッチ部材が受け具の係止ピンに係止されたとき、該曲折保持部によって該ラッチ部材のラッチ凹部が覆われた状態となることを特徴とする。
【００１０】
この発明によれば、ラッチ部材のラッチ凹部とそこに係止される係止ピンが曲折保持部により覆われてガードされることとなるので、不正解錠を目的としてゲーム機内に不正器具などが差し込まれたとき、ラッチ部材や係止ピンに対し不正アクセスする行為を阻止することができる。
【００１１】
請求項３の発明は、上記請求項１の施錠装置の受け具において、製造時、受け具本体の定位置及び該受け具本体の定位置と対向する曲折保持部の定位置に、予め取付孔が穿設され、該両取付孔に該係止ピンの両端部を嵌入した状態で、該係止ピンの少なくとも一方の端部をかしめて該係止ピンが受け具本体に固定されることを特徴とする。
【００１２】
この発明によれば、製造時、受け具本体に対し係止ピンを、プレス加工のみの簡単で少ない工程により、強固に固定することができ、係止ピンを受け具本体に溶接する溶接工程を使用する場合に比べ、製造コストを低く抑えることができる。
【発明の効果】
【００１３】
本発明の施錠装置の受け具によれば、係止ピンの基部と先端の両端部が固定され、強固に係止ピンが受け具本体に保持されるので、長期の使用でも、係止ピンにがたつきが生じず、前扉が無理にこじ開けられるように、係止ピンに大荷重が印加された場合でも、係止ピンは変形せず、施錠状態を強固に保持することができ、不正解錠を阻止することができる。
【図面の簡単な説明】
【００１４】
【図１】本発明の一実施形態を示す施錠装置用受け具の正面図である。
【図２】同受け具の平面図である。
【図３】同受け具の左側面図である。
【図４】同受け具の斜視図である。
【図５】施錠装置本体の左側面図である。
【図６】施錠装置本体の底面図である。
【図７】同受け具と施錠装置本体の斜視図である。
【図８】施錠状態の同受け具と施錠装置の斜視図である。
【図９】施錠状態における同受け具と施錠装置の断面図である。
【発明を実施するための形態】
【００１５】
以下、本発明の一実施形態を図面に基づいて説明する。図１はゲーム機の施錠装置に使用する受け具の正面図を示し、図２はその平面図を、図３はその左側面図を示している。なお、図において、矢印Ｆは施錠装置本体及び受け具の前方を示し、矢印Ｒはその後方をし、矢印ＲＩはその右側を、矢印Ｌはその左側を示している。
【００１６】
この受け具の受け具本体１は、図４に示すように、被取付部位に固定される取付部２が縦長の帯状金属板によって形成され、取付部２の上部と下部に係止部３，４が設けられて構成される。取付部２には複数の固定孔が穿設され、その取付部２の右側面をゲーム機のキャビネット（本体枠）の内側に当てて固定する構造となっている。
【００１７】
取付部２の前端部には平面視で浅くＬ字状に曲折されたカバー縁部２ａが縦方向全体に沿って設けられる。カバー縁部２ａが断面Ｌ字状につまり取付部２の縁部に段差部を付けるように形成されるため、取付部２の長手方向の曲げ強度を補強している。また、このカバー縁部２ａは、受け具がゲーム機のキャビネット内に固定された状態で、カバー縁部２ａが前方に突出し、キャビネットの前扉を閉じたとき、カバー縁部２ａが前方に突出して前扉内に進入し、キャビネットと前扉の隙間を塞ぐことができるようになっている。
【００１８】
受け具本体１の取付部２の上部と下部に設けた係止部３，４は、曲折保持部５，６内に係止ピン７，８を水平に配置し、その両端部を固定して形成されている。上部の係止部３の曲折保持部５は、取付部２の金属板の背面部の一部を、左側に切り起し、平面をＬ字状とするように、切り起し部を直角に曲折して形成されている。また、上部の係止部３の曲折保持部５も、同様に、取付部２の金属板の背面部の一部を、左側に切り起し、平面をＬ字状とするように、それを直角に曲折して形成される。
【００１９】
上部の係止部３には、係止ピン７が、曲折保持部５と取付部２との間に、水平横方向に掛け渡す形態で固定されている。すなわち、１本の係止ピン７が曲折保持部５と取付部２により包囲する空間内に、正面視で水平横方向に配置され、係止ピン７の一端は取付部２に固定され、係止ピン７の他端は、取付部２に平行な曲折保持部５の先端曲げ部５ａに固定される。
【００２０】
同様に、下部の係止部４には、係止ピン８が、曲折保持部６と取付部２との間に水平横方向に掛け渡すように、つまり、１本の係止ピン８が曲折保持部６と取付部２により包囲する空間内に水平横方向に配置され、係止ピン８の両端が、取付部２と、取付部２に平行な曲折保持部６の先端曲げ部６ａとに、各々固定されている。
【００２１】
具体的には、受け具の製造時、受け具本体１の取付部２の上部位置及びその位置と対向する曲折保持部５の定位置に、予め取付孔が穿設され、取付部２の取付孔に係止ピン７の末端を嵌入し、曲折保持部５の先端曲げ部５ａの取付孔に係止ピン７の先端を嵌入した状態で、係止ピン７の先端をプレス加工によりかしめて、係止ピン７が受け具本体１の取付部２と曲折保持部５間に水平に掛け渡す形態で固定される。
【００２２】
受け具本体１の下部の係止部４においても、同様に、取付部２の下部位置及びその位置と対向する曲折保持部６の定位置に、予め取付孔が穿設され、取付部２の取付孔に係止ピン８の末端を嵌入し、曲折保持部６の先端曲げ部６ａの取付孔に係止ピン８の先端を嵌入した状態で、係止ピン８の先端をプレス加工によりかしめて、係止ピン８が受け具本体１の取付部２と曲折保持部５間に水平に掛け渡す形態で固定される。
【００２３】
係止ピン７，８としては、例えば頭付リベットを使用することができ、この場合、そのリベットを取付部２の取付孔にその右側から挿入し、その頭部を取付部２の右側面に残した状態で、リベットの先端部を曲折保持部５，６の先端曲げ部５ａ，６ａに設けた取付孔に嵌入し、その左側に突き出したリベットの先端をかしめて係止ピン７，８が固定される。なお、係止ピンとして、頭付リベットに代えて棒状ピンを用いる場合、ピンの先端と末端の両方をかしめて係止ピンを固定することもできる。
【００２４】
このように、受け具の製造時、受け具本体１に対し係止ピン７，８を、プレス加工のみの簡単で少ない工程により、強固に固定することができ、係止ピンを受け具本体に溶接する溶接工程を使用する場合に比べ、低コストで製造することができる。
【００２５】
さらに、取付部２の下部の係止部４の下側に、滑り支持板９が取り付けられ、ゲーム機の前扉を閉じる際、施錠装置本体１０の支持ローラ１９がこの滑り支持板９の上を転動して前扉を下から支持するようになっている。
【００２６】
なお、上記受け具本体１は１本の長尺の取付部２により構成され、その上部と下部に係止部３、４を設けたが、取付部を上下に分離し、各々の取付部に係止部を形成することもできる。
【００２７】
次に、図５〜図８を参照して、上記受け具と共に使用されるゲーム機用施錠装置の施錠装置本体１０について説明する。この施錠装置本体１０は、図５に示すように、上記受け具の係止部３，４に係止されるラッチ部材２１，２２を、基枠体１１の支持板１３の上部と下部に回動可能に枢支し、ラッチ部材２１，２２のラッチ凹部２１ａ、２２ａ内に係止部３，４の係止ピン７，８を嵌入し拘束して施錠するものである。
【００２８】
ラッチ部材２１，２２は金属板により略卵形に形成され、その一部に溝状のラッチ凹部２１ａ，２２ａが、係止ピン７，８を嵌入させ、それを拘束する形状に形成されている。なお、図５，図７では、施錠装置本体１０のラッチ部材２１，２２が施錠位置に回動した状態を示している。
【００２９】
施錠装置本体１０は、縦長の基枠体１１を基体フレームして有して形成される。基枠体１１は、略コ字状断面を有したチャンネル材状に形成され、その底板を取付板１２とし、また、取付板１２に対し直角に曲折された幅広の支持板１３を有しており、取付板１２には複数の取付孔が穿設される。取付板１２の中間部下部寄りに、取付座部１２ａが基枠体１１の左側に突き出すように形成され、その取付座部１２ａにはシリンダ錠１７を取り付けるための挿入孔が形成され、シリンダ錠１７はその挿入孔に背面側から挿入され、そのフランジ１７ａを取付座部１２ａの内側に当て、固定ねじで締付固定される。
【００３０】
施錠装置本体１０の主要部つまりラッチ部材２１，２２を枢支した部分は、図５，７に示すように、薄く縦長のケース２３内に収納されている。ケース２３と支持板１３には、ラッチ部材２１，２２に対応した背面箇所に、各々開口凹部２４，２５が形成され、施錠時、この開口凹部２４，２５内に上記受け具の係止ピン７，８が進入し、ラッチ部材２１，２２の回動によりそのラッチ凹部２１ａ，２２ａに係止ピン７，８が係止されるようになっている。
【００３１】
ラッチ部材２１，２２は、枢軸を軸に所定の角度範囲内で回動可能に枢支され、解錠側に付勢するためのばね部材が設けられている。また、ラッチ部材２１，２２の一部には係合凹部が設けられ、前扉の閉鎖時に受け具の係止ピン７，８がラッチ凹部２１ａ，２２ａに進入し、ラッチ部材２１，２２が施錠位置まで回動したとき、係止部２６，２７がその係合凹部に係止されてラッチ部材２１，２２がロックされる構造となっている。
【００３２】
この係止部２６，２７は連結摺動杆１５，１６に設けれ、連結摺動杆１５，１６が図５の下方に下降したとき、ロックが外れ、解錠される。連結摺動杆１５，１６は支持板１３に対し所定の範囲で上下摺動可能に取り付けられ、さらに、連結摺動杆１５とラッチ部材２１の間、及び連結摺動杆１６５とラッチ部材２２との間には、コイルばねが掛けられ、ラッチ部材２１，２２はコイルばねにより、解錠する方向に付勢されると共に、連結摺動杆１５，１６は係止部２６，２７をラッチ部材２１，２２の係合凹部に係合させる方向に付勢される。
【００３３】
さらに、支持板１３の内側に沿って縦長の作動杆１４が上下摺動可能に配設され、作動杆１４の上端が連結摺動杆１５に連結され、作動杆１４の下端が連結摺動杆１６に連結される。この作動杆１４と連結摺動杆１５、１６との連結は、解錠時に作動杆１４を、シリンダ錠１７の解錠操作によって下降させたとき、連結摺動杆１５，１６がそれに従動して下降する一方、シリンダ錠１７を解錠とは反対側にリセット操作用に回したとき、作動杆１４のみが上昇する構造となっている。これにより、シリンダ錠１７の鍵を左に回したとき、作動杆１４が上昇し、その作動部がリセットスイッチ（非接触スイッチ）２８に作用してそれをオンし、リセット信号を発生させる。
【００３４】
一方、リセットスイッチ２８の下方の支持板１３には、解錠検出用スイッチ（非接触スイッチ）２９が取り付けられ、この解錠検出用スイッチ２９には連結摺動杆１６の一部に設けた作動部が、シリンダ錠１７の解錠操作により、作用するようになっている。つまり、シリンダ錠１７に差し込んだ鍵を右に回すと、作動杆１４と共に連結摺動杆１６が下降し、連結摺動杆１６の一部に設けた作動部が解錠検出用スイッチ２９に作用して解錠検出信号を発生させる。
【００３５】
このために、図６に示す如く、作動杆１４の中間部には係合凸部１４ａが左側（カム部材側）に突き出すように設けられ、シリンダ錠１７の錠軸に固定されたカム部材１８がこの係合凸部１４ａに係合可能となっており、シリンダ錠１７に挿入した鍵を右に回したとき、作動杆１４を下降させて解錠動作させ、シリンダ錠１７に挿入した鍵を左に回したとき、作動杆１４を上昇させて、ゲーム機のリセットを行なう。また、基枠体１１の支持板１３の下部には、支持ローラ１９が回動自在に軸支され、前扉の閉鎖時、支持ローラ１９を受け具本体１の滑り支持板９上に転動させ、前扉を支持するようになっている。
【００３６】
上記構成の施錠装置本体１０は、図９に示すように、ゲーム機の前扉３２の内側に取付板１２を介して縦に固定され、キャビネット３１内の対向位置の側壁に受け具本体１が縦に取り付けられる。施錠装置本体１０のシリンダ錠１７の鍵口は、前扉３２の前面に露出する。
【００３７】
前扉３２をキャビネット３１に対し閉じると、受け具の係止部３，４の係止ピン７，８が、施錠装置本体の上部と下部の開口凹部２４，２５からラッチ部材２１，２２のラッチ凹部２１ａ，２２ａ内に進入する。このとき、の係止ピン７，８がラッチ部材２１，２２を押し込むように作用して、ラッチ部材２１，２２が図５の時計方向に回動し、施錠回動端までラッチ部材２１，２２が回動すると、係止部２６，２７がラッチ部材の一部に設けた係合凹部に係止され、ラッチ部材２１，２２のラッチ凹部２１ａ、２２ａに係止ピン７，８が拘束され、施錠状態となる。
【００３８】
このような施錠状態で、ラッチ部材２１，２２が受け具の係止ピン７，８に係止されてロックされるが、係止ピン７，８は、その基部と先端の両端部が、取付部２と平面をＬ字状とする曲折保持部５，６とに各々固定されるので、所謂片持ちではなく、強固に係止ピン７，８とラッチ部材２１，２２がロック状態に保持される。また、このようなロック状態で、キャビネット３１に対し前扉３２を無理にこじ開けようとして、ラッチ部材２１，２２を介し係止ピン７，８に大きな荷重が印加された場合でも、係止ピン７，８及びラッチ部材２１，２２は変形せず、施錠状態を強固に保持することができる。
【００３９】
また、施錠状態においては、図８に示すように、ラッチ部材２１，２２のラッチ凹部２１ａ，２２ａとそこに係止される係止ピン７，８が曲折保持部５，６により覆われてガードされることとなるので、不正解錠を目的としてゲーム機内に不正器具などが差し込まれたとき、ラッチ部材２１，２２や係止ピン７，８に対し不正アクセスする行為を阻止することができる。
【００４０】
また、ゲーム機の不正解錠の場合、例えばドリルを用いてキャビネットの側壁に穴を開け、その穴から受け具の係止ピンの基部にドリルを当て、その基部に穴を開けて係止ピンを外すことが予想されるが、それに対しては、係止ピンの基部が外されたとしても、その先端部で係止ピンは保持されるので、そのような不正解錠を防止することができる。
【符号の説明】
【００４１】
１      受け具本体
２      取付部
３      係止部
４      係止部
５      曲折保持部
６      曲折保持部
７      係止ピン
８      係止ピン
１０    施錠装置本体
２１    ラッチ部材
２１ａ  ラッチ凹部
２２    ラッチ部材
２２ａ  ラッチ凹部
【図１】
2010261170.tif 000003
【図２】
2010261170.tif 000004
【図３】
2010261170.tif 000005
【図４】
2010261170.tif 000006
【図５】
2010261170.tif 000007
【図６】
2010261170.tif 000008
【図７】
2010261170.tif 000009
【図８】
2010261170.tif 000010
【図９】
2010261170.tif 000011